(57)【特許請求の範囲】
【請求項１】
アクセスシステム内のデータコンテンツ源から送信されるデータコンテンツに対するエンドユーザ側受信器のアクセスを制御する条件付きアクセスシステムであって、上記アクセスシステムは、
上記コンテンツ源から供給されるコンテンツをスクランブルするスクランブラと、
制御ワード及び権利識別子を含む権利制御メッセージを発生する権利制御メッセージ発生器と、
上記スクランブルされたコンテンツ及び上記権利制御メッセージを送信する送信器とを含み、
デスクランブラと、権利制御メッセージ復号化器と、権利情報を記録する手段とが受信器に接続され、
上記権利制御メッセージ復号化器は、権利制御メッセージの権利識別子と上記記録された権利情報とが一致する場合に、上記受信器がアクセスする権利を有する受信されたスクランブルされたコンテンツの一部をデスクランブルするための制御ワードをデスクランブラに対して供給し、
上記コンテンツはシーン識別子を有するシーンへ分割され、
上記アクセスシステムには上記権利制御メッセージ中にシーン識別子を組み込むために権利制御メッセージ発生器に接続されるシーン識別子発生器が設けられ、
上記アクセスされたシーンを上記受信器において登録する手段が設けられ、
上記シーン識別子は順次であり、
上記権利制御メッセージ復号化器は、上記権利制御メッセージ中の権利識別子と上記記録された権利情報が一致し、権利制御メッセージ中のシーン識別子が上記シーケンス中で上記権利情報中に記録されたシーン識別子よりも低位である場合に、上記デスクランブラに上記制御ワードが与えられるよう配置されることを特徴とする、条件付きアクセスシステム。
【請求項２】
アクセスシステム内のデータコンテンツ源から送信されるデータコンテンツに対するエンドユーザ側受信器のアクセスを制御する条件付きアクセスシステムであって、上記アクセスシステムは、
上記コンテンツ源から供給されるコンテンツをスクランブルするスクランブラと、
制御ワード及び権利識別子を含む権利制御メッセージを発生する権利制御メッセージ発生器と、
上記スクランブルされたコンテンツ及び上記権利制御メッセージを送信する送信器とを含み、
デスクランブラと、権利制御メッセージ復号化器と、権利情報を記録する手段とが受信器に接続され、
上記権利制御メッセージ復号化器は、権利制御メッセージの権利識別子と上記記録された権利情報とが一致する場合に、上記受信器がアクセスする権利を有する受信されたスクランブルされたコンテンツの一部をデスクランブルするための制御ワードをデスクランブラに対して供給し、
上記コンテンツはシーン識別子を有するシーンへ分割され、
上記アクセスシステムには上記権利制御メッセージ中にシーン識別子を組み込むために権利制御メッセージ発生器に接続されるシーン識別子発生器が設けられ、
上記アクセスされたシーンを上記受信器において登録する手段が設けられ、
上記シーン識別子は順次であり、
上記権利制御メッセージ復号化器は、上記権利制御メッセージ中の権利識別子と上記記録された識別情報が一致し、権利制御メッセージ中のシーン識別子が上記識別情報中に記録されたシーン識別子と等しい場合に、上記デスクランブラに上記制御ワードが与えられるよう配置されることを特徴とする、条件付きアクセスシステム。
【請求項３】
アクセスシステム内のデータコンテンツ源から送信されるデータコンテンツに対するエンドユーザ側受信器のアクセスを制御する条件付きアクセスシステムであって、上記アクセスシステムは、
上記コンテンツ源から供給されるコンテンツをスクランブルするスクランブラと、
制御ワード及び権利識別子を含む権利制御メッセージを発生する権利制御メッセージ発生器と、
上記スクランブルされたコンテンツ及び上記権利制御メッセージを送信する送信器とを含み、
デスクランブラと、権利制御メッセージ復号化器と、権利情報を記録する手段とが受信器に接続され、
上記権利制御メッセージ復号化器は、権利制御メッセージの権利識別子と上記記録された権利情報とが一致する場合に、上記受信器がアクセスする権利を有する受信されたスクランブルされたコンテンツの一部をデスクランブルするための制御ワードをデスクランブラに対して供給し、
上記コンテンツはシーン識別子を有するシーンへ分割され、
上記アクセスシステムには上記権利制御メッセージ中にシーン識別子を組み込むために権利制御メッセージ発生器に接続されるシーン識別子発生器が設けられ、
上記アクセスされたシーンを上記受信器において登録する手段が設けられ、
上記シーン識別子は順次であり、
上記権利制御メッセージ復号化器は、上記権利制御メッセージ中の権利識別子と上記記録された権利情報が上記シーケンス中で上記権利情報中に記録されたシーン識別子よりも高位である場合に、上記デスクランブラに上記制御ワードが与えられるよう配置されることを特徴とする、条件付きアクセスシステム。
【請求項４】
アクセスシステム内のデータコンテンツ源から送信されるデータコンテンツに対するエンドユーザ側受信器のアクセスを制御する条件付きアクセスシステムであって、上記アクセスシステムは、
上記コンテンツ源から供給されるコンテンツをスクランブルするスクランブラと、
制御ワード及び権利識別子を含む権利制御メッセージを発生する権利制御メッセージ発生器と、
上記スクランブルされたコンテンツ及び上記権利制御メッセージを送信する送信器とを含み、
デスクランブラと、権利制御メッセージ復号化器と、権利情報を記録する手段とが受信器に接続され、
上記権利制御メッセージ復号化器は、権利制御メッセージの権利識別子と上記記録された権利情報とが一致する場合に、上記受信器がアクセスする権利を有する受信されたスクランブルされたコンテンツの一部をデスクランブルするための制御ワードをデスクランブラに対して供給し、
上記コンテンツはシーン識別子を有するシーンへ分割され、
上記アクセスシステムには上記権利制御メッセージ中にシーン識別子を組み込むために権利制御メッセージ発生器に接続されるシーン識別子発生器が設けられ、
上記アクセスされたシーンを上記受信器において登録する手段が設けられ、
シーンカウンタは、上記受信器に接続され、上記権利識別子が一致し上記権利制御メッセージ中のシーン識別子が以前に記録されたシーン識別子とは異なる場合に１ずつインクリメントされることを特徴とする、条件付きアクセスシステム。
【請求項５】
上記シーン識別子は、繰り返し送信されるコンテンツ部分に対して同様に割り当てられる、請求項１乃至４の何れか一項に記載の条件付きアクセスシステム。
【請求項６】
上記コンテンツのシーンへの分割は時間に関連する、請求項１乃至４の何れか一項に記載の条件付きアクセスシステム。
【請求項７】
上記コンテンツのシーンへの分割はデータの量に関連する、請求項１乃至４の何れか一項に記載の条件付きアクセスシステム。
【請求項８】
上記コンテンツのシーンへの分割はサブコンテンツに関連する、請求項１乃至４の何れか一項に記載の条件付きアクセスシステム。
【請求項９】
上記受信器に接続される１つ以上の手段は、スマートカード上に実施される、請求項１乃至４の何れか一項に記載の条件付きアクセスシステム。
【発明の詳細な説明】
【０００１】
本発明は、データコンテンツ源と、コンテンツ源から供給されるコンテンツをスクランブルするスクランブラと、制御ワード及び権利識別子を含む権利制御メッセージを発生する権利制御メッセージ発生器と、スクランブルされたコンテンツ及び権利制御メッセージを送信する送信器とを含むアップリンクシステムと、
デスクランブラと、権利制御メッセージ復号化器と、権利情報を記録する手段とが接続されるエンドユーザ側受信器とを含み、
権利制御メッセージ復号化器は、権利制御メッセージの権利識別子と記録された権利情報とが一致する場合に、受信器がアクセスする権利を有する受信されたスクランブルされたコンテンツの一部をデスクランブルするための制御ワードをデスクランブラに対して供給する、
アップリンクシステム内のデータコンテンツ源から送信されるデータに対するエンドユーザ側受信器のアクセスを制御する条件付きアクセスシステムに関連する。
【０００２】
かかる条件付きアクセスシステムは、ＩＥＥＥ Transactions on Consumer Electronics, Vol. 35, NO.3, August 1989の第４６４乃至４６８頁で発表された文献「A single conditional access system for satellite-cable and terrestrial TV」から公知である。
【０００３】
提供される情報又はデータのコンテンツアイテム又はテレビ番組に対するアクセスを得るために、エンドユーザは権利を購入しうる。このような権利は、所定のプログラム又はサービスに対してアクセスする権利を与える。公知の条件付きアクセスシステムは、購入された権利に基づいてコンテンツに対するアクセスを制御する。
【０００４】
このような公知の条件付きアクセスシステムは、権利が購入された後は、エンドユーザは、権利を取り消すことを要求する以外は、この権利に対して影響を与えることが可能でないという欠点がある。
【０００５】
本発明は、ユーザによるより多くの影響が可能とされる上述の種類の条件付きアクセスシステムを提供することを目的とする。
【０００６】
この目的は、本発明によれば、コンテンツはシーン識別子を有するシーンへ分割され、アップリンクシステムには権利制御メッセージ中にシーン識別子を組み込むために権利制御メッセージ発生器に接続されるシーン識別子発生器が設けられ、アクセスされたシーンを受信器において登録する手段が設けられることによって達成される。
【０００７】
コンテンツをシーンへ分割することにより、エンドユーザは（テレビ）番組又は他のサービスの視聴を中断し、同じ番組が再び放送されている更に適した時点において視聴を続けることが可能となる。エンドユーザは、自分が実際にアクセスしたサービス部分に対して請求されうる。
【０００８】
本発明による条件付きアクセスシステムの望ましい実施例の構成を示す添付の図面を参照して本発明について詳述する。
【０００９】
サービスとは、スケジュールの一部として放送されうる放送者の制御下にある一連のプログラムである。サービスは中央の参照されるエンティティである。
【００１０】
本発明によれば、以下シーンと称される更なるエンティティが導入される。シーンはコンテンツを別個の部分へ分割する。
【００１１】
シーンは、時間に基づいて（例えば各シーンが５分間で終わる）、データの量に基づいて（例えば各シーンが１Ｍバイトのデータを表わす）、又はコンテンツに関連する方法で（例えば各シーンが放送データカルセル中のウェブサイトを表わす）、定義されうる。
【００１２】
シーンを導入したことにより、２つの新しい種類の条件付きアクセス、即ち、分割可能なペイ・パー・ビュー（divisible pay-per-view）及びペイ・パー・ユース（pay-per-use）が実施されうる。分割可能なペイ・パー・ビューは、エンドユーザがペイ・バー・ビュー（テレビ）番組の視聴を中断し、同じ番組が再び放送されたより適した時点に視聴を続けることを可能とする。ペイ・パー・ユースの場合は、エンドユーザは自分が実際にアクセスした（テレビ）サービスの部分に対してのみ支払いを行う。以下、ペイ・パー・ビューをＰＰＶと称し、ペイ・パー・ユースをＰＰＵと称するものとする。
【００１３】
上述の種類の条件付きアクセスは、以下説明する従来技術の条件付きアクセスシステムにおいて実施されうる。
【００１４】
従来技術の条件付きアクセスシステムは、提供されるコンテンツアイテムへのアクセスを制御するために権利制御メッセージを使用し、ユーザ側で購入された権利を格納するために権利管理メッセージを使用する。
【００１５】
条件付きアクセスシステムには、幾つかの権利がある。
【００１６】
加入権利は（或る範囲の）サービスへのアクセスを与え、ペイ・パー・ビュー（ＰＰＶ）権利はサービス中の（或る範囲の）特定の番組に対してアクセスを与える。ＰＰＶ権利は、制限された加入権利であると考えられうる。
【００１７】
図示されるように、条件付きアクセスシステムのアップリンクシステム１は、ＥＣＭ発生器２を含み、ＥＣＭ発生器２の入力にはイベント番号発生器３と制御ワード発生器４が接続される。アップリンクシステム１は更にコンテンツ源５を含み、その出力はスクランブラ６に接続される。
【００１８】
エンドユーザ側には、デスクランブラ８を含む受信器７が設けられる。更に、エンドユーザ側にはＥＣＭ復号化器１０を含むセキュリティモジュール９が設けられる。スマートカード９は、シーン番号記憶部１２及びシーンカウンタ１３を含むＰＰＵ権利情報部１１を有する。スマートカード９の分割可能なＰＰＶ権利情報部１４は、シーン番号記憶部１５を含む。コンテンツシンク（content sink）１６はデスクランブラ８に接続され、デスクランブルされた情報を受信する。
【００１９】
シーン番号発生器３によって与えられるシーン番号及び制御ワード発生器によって与えられる制御ワードは、夫々が制御ワード、権利識別子、及びシーン番号を含むＥＣＭを発生するためにＥＣＭ発生器に供給される。
【００２０】
シーン番号は順次であるが、各プログラムの開始においてリセットされる。多数の新しい制御ワードの後、新しいシーン番号が発生される。図示されるように、ＥＣＭは図示しない送信器によってアップリンクシステムからスマートカードへ送信される。このＥＣＭは、スマートカード９中のＥＣＭ復号化器１０によって復号化される。スマートカード９は、エンドユーザが予めそのコンテンツにアクセスする権利（エンタイトルメント）を購入している場合にのみこれを行う。安全上の理由から、制御ワードは頻繁に値を変える。
【００２１】
本発明によれば、コンテンツを別々の部分へ分割するシーンが定義される。シーンは、時間に基づいて（例えば各シーンが５分間で終わる）、データの量に基づいて（例えば各シーンが１Ｍバイトのデータを表わす）、又はコンテンツに関連する方法で（例えば各シーンが放送データカルセル中のウェブサイトを表わす）、定義されうる。各シーンはシーン番号によって識別され、この番号はＥＣＭに組み込まれる。
【００２２】
スマートカードは、ＥＣＭを復号化したシーンについて追跡する。
【００２３】
分割可能なペイ・パー・ビューは、どのシーンがアクセスされ、どのシーンがアクセスされていないかを登録することによって実施されうる。シーン番号は順次であることが望ましい。更に、シーン番号は同じ番組が放送されるたびに同じように割り当てられる。
【００２４】
ペイ・パー・ユースは、アクセスされた異なるシーンの数を計数することによって実施される。この数は、請求のために後にエンドユーザのスマートカードによってアップリンクシステムへ報告される。
【００２５】
ペイ・パー・ユースは、異なる方法でも、即ち、エンドユーザがコンテンツにアクセスしたこと（望ましくは視聴したこと）に報償を与えるためにも使用されうる。このために、ＥＣＭは、シーンがアクセスされた場合にシーンカウンタがデクリメントすることを示すフラグを含む。
【００２６】
分割可能なＰＰＶであり順次的なシーン番号の場合、ＥＣＭと格納された権利情報が一致する場合、又は、ＥＣＭ中のシーン番号が権利情報の中に記録されたシーン番号よりも低くない場合に、受信器７中のデスクランブラ８に制御ワードが与えられる。また、ＥＣＭのシーン番号は、分割可能なＰＰＶ権利情報部の中に記録される。ＥＣＭ中のシーン番号が権利情報部の中のシーン番号よりも低い場合は、プログラムが再放送され制御ワードが与えられていなければ、エンドユーザは同じシーンに再びアクセスしようとする。
【００２７】
ＰＰＵの場合、スマートカードはＥＣＭを復号化し、権利識別子が一致する場合は受信器７のデスクランブラ８へ制御ワードを与える。また、ＥＣＭのシーン番号はＰＰＵ権利情報部１２に記録される。シーン番号が以前に記録されたシーン番号とは異なる場合、エンドユーザは新しいシーンにアクセスしており、シーンカウンタ１３は１ずつインクリメントされる。このようにして、シーンカウンタ１３はアクセスされたシーンの数を登録し、エンドユーザへの請求のために用いられる。
【００２８】
ペイ・パー・ユース（ＰＰＵ）の場合、ＰＰＵ権利情報に基づいてアクセスされたシーンの数は請求のためスマートカードに登録される。アクセスされたシーンの数は任意の知られている方法で報告されうる。
【００２９】
シーンは、時間の量又はビットの数を表わしうる。シーン番号はＥＣＭに組み込まれ、従ってシーンは１つ以上の制御ワード間隔を含む。
【００３０】
以下、実施例について説明する。
【００３１】
ＰＰＵ加入ＥＣＭは、シーン番号オブジェクト＜ｓｃｅｎｅ−ｎｒ＞を含む。シーン番号の長さは３バイトである。シーン番号は２つの部分へ分けられる。２つの下位バイトは、プログラム中のシーンを計数する。これは、以下説明するように、分割可能な（Ｉ）ＰＰＶに関係する。最上位バイトは、サービスのプログラムを計数する。これはＰＰＵに関係する。最下位バイトは、各プログラムの開始においてリセットされる。最上位バイトは、一定の間隔でリセットされる。（シーン番号の最上位バイトはループすることが可能である）。
【図面の簡単な説明】
【図１】  本発明による条件付きアクセスシステムの望ましい実施例の構成を示す図である。
【図１】
0004880158.tif 000002